(57)【特許請求の範囲】
【請求項１】
移動可能なプラットホームに取付けられて用いられるアレー測角装置であって、
信号発生源である目標からの到来信号を受信するアレーアンテナを構成している複数のセンサ素子と、
前記センサ素子で受信された前記到来信号を受信データとして出力する受信手段と、
前記受信手段により出力された前記受信データに基づいて前記目標信号の入射角度を推定する測角処理手段と、
前記測角処理手段により推定された前記入射角度に基づいて、前記プラットホームの移動方向を推定する移動方向推定処理手段と、
前記測角処理手段により推定された前記入射角度に基づいて、前記センサ素子が有する受信チャネル特性差を推定する校正信号推定処理手段と、
前記移動方向推定処理手段により推定された前記移動方向と前記校正信号推定処理手段により推定された前記受信チャネル特性差とを用いて、前記測角処理手段により推定された前記入射角度を校正する改良校正測角処理手段と
を備えたことを特徴とするアレー測角装置。
【請求項２】
前記校正信号推定処理手段は、さらに、
前記移動方向推定手段により推定された前記移動方向を用いて、推定した前記受信チャネル特性差の誤差を補償する
ことを特徴とする請求項１に記載のアレー測角装置。
【請求項３】
前記移動方向推定手段は、
前記目標と前記プラットホーム間の相対速度を推定する機能をさらに有し、
前記測角処理手段により推定された前記入射角度と前記相対速度とに基づいて、前記プラットホームの移動方向を推定する
ことを特徴とする請求項１または２に記載のアレー測角装置。
【請求項４】
前記移動方向推定手段は、
前記目標と前記プラットホーム間の相対距離を推定する機能をさらに有し、
前記測角処理手段により推定された前記入射角度と前記相対距離とに基づいて、前記プラットホームの移動方向を推定する
ことを特徴とする請求項１または２に記載のアレー測角装置。
【発明の詳細な説明】
【技術分野】
【０００１】
この発明はアレー測角装置に関し、特に、移動通信や車載用レーダ等に用いるためのアレー測角装置に関する。
【背景技術】
【０００２】
複数のセンサ素子を用いて到来する信号の入射角度を測定する装置では、各センサの受信チャネル特性を事前に測定するか、全センサの受信チャネル特性が同一となるように校正する必要がある。このため、入射角度に対応する受信データの観測を行い、各センサの受信チャネル特性を計測したり、校正したりする必要がある。従来技術においては、入射角度が既知である到来信号の受信データを用いて、受信チャネル特性の測定や校正が行われていた。
【０００３】
複数のセンサを用いて到来する信号の入射角度を推定する先行技術として、MUSIC（MUltiple SIgnal Classification）法などが存在する（例えば、非特許文献１参照。）。このような先行技術では、到来する信号の数が１、または、到来する複数の信号が無相関である場合、全センサの受信チャネル特性と入射角度の関係を事前に計測しておく必要がある。
【０００４】
一方、到来する複数の信号が完全相関である場合、全センサの受信チャネル特性が同一となるように校正する必要がある（例えば、非特許文献２参照。）。
【０００５】
従来の校正方式では、予め設定した入射角度に対応する受信データを測定する。とりわけ、全センサの受信チャネル特性と入射角度との関係を用いる入射角度推定方式では、入射角度が既知であることを前提とする。また、各センサの受信チャネル特性を表すパラメータを推定する校正方式として、既存技術が存在する（例えば、非特許文献３参照。）。各センサの受信チャネル特性を表すパラメータは校正用パラメータと同義である。このような校正方式についても、入射角度が既知な受信データを用いるものである。
【０００６】
しかし、センサの受信チャネル特性は、例えば増幅器の温度特性の影響などにより、経時的に変動する。よって、事前に計測した受信データが有する受信チャネル特性の情報は、経時変動した受信チャネル特性の校正処理に使用できない。このような場合、校正処理に用いる受信データを更新することが望ましいが、入射角度が既知な到来信号の受信データを計測する作業はセンサ運用中において困難であることが多い。また、入射角度が既知な到来信号を設定するための設備を付加することは、装置のコストを増大させる。
【０００７】
そこで、入射角度が未知な到来信号の受信データを用いて校正処理を行うことで、センサ受信チャネル特性の経時変動に対応することが考えられる。このような校正方式として提案されている従来技術がある（例えば、非特許文献４参照。）。この従来技術は、校正用パラメータを推定する校正方式である。
【０００８】
図３は、非特許文献４に示される校正処理の処理の流れを示したフローチャートである。図３において、ステップＳ１は測角処理、ステップＳ２は校正用パラメータを推定する校正用パラメータ推定処理、ステップＳ３は校正用パラメータを用いた校正測角処理、ステップＳ４は校正処理の収束判定を行う収束判定処理である。
【０００９】
図３における信号処理では、ステップＳ１の測角処理において、複数の受信データの概略の測角値（θハット）（０）を得る。この測角値（θハット）（０）を入射角度と仮定し、ステップＳ２の校正用パラメータ推定処理で、当該入射角度を用いて、各センサの受信チャネル特性を表すパラメータ（ｐハット）（１）を推定する。次に、ステップＳ３の校正測角処理では、推定したパラメータ（ｐハット）（１）で校正した測角処理を行い、測角値（θハット）（１）を推定する。ステップＳ４の収束判定処理では、推定したパラメータ（ｐハット）（１）と測角値（θハット）（１）が収束しているかを判定する。収束していれば処理を終え、収束していなければステップＳ２の校正用パラメータ推定処理へ戻り、上記と同様に、ステップＳ２の校正用パラメータ推定処理とステップＳ３の校正測角処理を反復計算し、パラメータ（ｐハット）（ｉ）と測角値（θハット）（ｉ）を収束させる。なお、ｉ番目の反復計算では、ステップＳ２の校正用パラメータ推定処理２において測角値（θハット）（ｉ−１）を用いてパラメータ（ｐハット）（ｉ）を推定し、ステップＳ３の校正測角処理においてパラメータ（ｐハット）（i）で校正した測角処理で測角値（θハット）（ｉ）を推定する。
【００１０】
【非特許文献１】R. O. Schmidt,“Multiple emitter location and signal parameter estimation，”IEEE Trans., vol. AP−34, no.3, pp. 276−280, March 1986
【非特許文献２】T. Shan, M. Wax, T. Kailath, “On spatial smoothing for direction-of-arrival estimation of coherent signals,”IEEE Trans. Acoustics, Speech, and Signal Processing, vol. 33, no.4, pp. 806 - 811, Aug 1985
【非特許文献３】B. Friedlander, A. J. Weiss,“Direction finding in the presence of mutual coupling,”IEEE Trans. Antennas and Propagation, vol.39, no. 3, pp. 273 - 284, March 1991
【非特許文献４】V. C. Soon, L. Tong, T.F. Huang、R. Liu,“A subspace method for estimating sensor gains and phases,”IEEE Trans. Signal Processing, vol. 42, no. 4, pp. 973 - 976, Apr 1994
【発明の開示】
【発明が解決しようとする課題】
【００１１】
しかしながら、各センサの受信チャネル特性の誤差に座標系を回転する成分が含まれる場合、全て測角値が同様の座標系回転誤差を含む。よって、上述した図３に示す従来の信号処理では、ステップＳ１の測角処理における測角値（θハット）（０）に同様の座標系回転誤差が発生するため、ステップＳ２の校正用パラメータ推定処理で座標系回転誤差を推定することができない。このように、全ての測角値に同一の誤差が発生すると、誤差要因を校正できないことは入射角度が未知の受信データを用いる校正処理の欠点である。
【００１２】
このように、従来技術においては、入射角度が未知である場合、座標系を回転させる観測誤差を校正することができないという問題点があった。
【００１３】
本発明は、かかる問題点を解決するためになされたものであり、入射角度が未知である到来信号の受信データを用いて、受信チャネル特性の測定や校正を行う際に、到来する信号の物理特性から座標系を推定することにより、校正処理を高精度かつ低コストに実施することを可能にするアレー測角装置を得ることを目的とする。
【課題を解決するための手段】
【００１４】
この発明は、移動可能なプラットホームに取付けられて用いられるアレー測角装置であって、信号発生源である目標からの到来信号を受信するアレーアンテナを構成している複数のセンサ素子と、前記センサ素子で受信された前記到来信号を受信データとして出力する受信手段と、前記受信手段により生成された前記受信データに基づいて前記目標信号の入射角度を推定する測角処理手段と、前記測角処理手段により推定された前記入射角度に基づいて、前記プラットホームの移動方向を推定する移動方向推定処理手段と、前記測角処理手段により推定された前記入射角度に基づいて、前記センサ素子が有する受信チャネル特性差を推定する校正信号推定処理手段と、前記移動方向推定処理手段により推定された前記移動方向と前記校正信号推定処理手段により推定された前記受信チャネル特性差とを用いて、前記測角処理手段により推定された前記入射角度を校正する改良校正測角処理手段とを備えたアレー測角装置である。
【発明の効果】
【００１５】
この発明は、移動可能なプラットホームに取付けられて用いられるアレー測角装置であって、信号発生源である目標からの到来信号を受信するアレーアンテナを構成している複数のセンサ素子と、前記センサ素子で受信された前記到来信号を受信データとして出力する受信手段と、前記受信手段により生成された前記受信データに基づいて前記目標信号の入射角度を推定する測角処理手段と、前記測角処理手段により推定された前記入射角度に基づいて、前記プラットホームの移動方向を推定する移動方向推定処理手段と、前記測角処理手段により推定された前記入射角度に基づいて、前記センサ素子が有する受信チャネル特性差を推定する校正信号推定処理手段と、前記移動方向推定処理手段により推定された前記移動方向と前記校正信号推定処理手段により推定された前記受信チャネル特性差とを用いて、前記測角処理手段により推定された前記入射角度を校正する改良校正測角処理手段とを備えたアレー測角装置であるので、入射角度が未知である到来信号の受信データを用いて、受信チャネル特性の測定や校正を行う際に、到来する信号の物理特性から座標系を推定することにより、校正処理を高精度かつ低コストに実施することができる。
【発明を実施するための最良の形態】
【００１６】
実施の形態１．
図１は、本発明の実施の形態１に係るアレー測角装置の構成を示した構成図である。図１に示すように、本実施の形態１に係るアレー測角装置は、移動可能な移動プラットホーム１に設けられた、アレーアンテナを構成している複数（Ｌ個）のセンサ素子２−１，２−２，・・・，２−Ｌと、受信機３と、信号処理装置４とから構成されている。受信機３は、センサ素子２−１，２−２，・・・，２−Ｌで受信した到来信号に対して増幅およびＡ／Ｄ変換等の必要な所定の処理を加えた後に受信データとして出力する。信号処理装置４は、移動プラットホーム１の移動方向を推定する移動方向推定処理部１２と、各センサ素子２−１，２−２，・・・，２−Ｌ間の受信チャネルの特性差を示す校正用パラメータを推定する校正用パラメータ推定処理部１３と、推定された上記移動方向と校正用パラメータとを用いて改良校正測角処理を行う改良校正測角処理部１４とを備える。本実施の形態１で対象とする移動プラットホーム１では、図１のように移動方向を測角処理における座標系の基準軸とすることが出来る。信号処理装置７では、移動プラットホーム１の移動方向を推定することにより基準軸を定め、従来の校正処理による座標系を基準軸に一致させる。例えば、センサ素子２−１，２−２，・・・，２−Ｌが、移動プラットホーム１の移動方向を入射角度０°に定めるセンサであれば、推定した移動方向と従来の校正処理による０°方向の間に存在する角度差を補償するパラメータを推定する。なお、図１において、２０は移動プラットホーム１の移動方向ベクトルを示し、３０は信号発生源（目標）を示している。また、３１は信号発生源から出力された信号を示し、２１は移動方向ベクトル２０に対する信号３１の入射角度を示している。
【００１７】
次に、動作について説明する。
仮に、各センサ素子２−１，２−２，・・・，２−Ｌの受信チャネル特性の誤差に座標系を回転させる成分が含まれる場合について、入射角度が既知の受信データを用いる校正処理を適用すると、校正用パラメータ推定処理で座標系を回転させる成分も推定することができる。これは、入射角度真値を校正用パラメータ推定処理へ入力することで、推定処理において正しい座標系が定義できるためである。このことから、推定処理において正確な座標系が定義可能であれば、座標系を回転する成分を推定できると考えられる。
【００１８】
そこで、本実施の形態１では、座標系を推定する機能を追加することで、入射角度が未知な受信データを用いる校正処理を補償する。すなわち、入射角度が未知な受信データを用いる校正処理による校正用パラメータと、座標系を推定する機能による推定結果の差異を補償パラメータとして新たに推定し、校正用パラメータと補償パラメータを合わせることによる新たな校正用パラメータを得る。そして、新たな校正用パラメータを用いた測角処理を行う。
【００１９】
図２は、本実施の形態１に係るアレー測角装置の処理の流れを示したフローチャートである。図２において、ステップＳ１１は図３に示したステップＳ１と同様の測角処理であり、ステップＳ１３は図３に示したステップＳ２と同様の校正用パラメータ推定処理であり、ステップＳ１５は図３に示したステップＳ４と同様の収束判定処理である。これらについては、上述の通りであるため、ここでは簡単に説明する。図２と図３との違いは、図２において、ステップＳ１２の処理が追加されたことと、図３のステップＳ３の代わりにステップＳ１４の処理が行われることである。なお、ステップＳ１２は、移動プラットホーム１の移動方向を推定する処理であり、ステップＳ１４は、校正用パラメータと移動方向の情報とを用いる測角処理である。
【００２０】
図２の信号処理では、まず、目標である信号発生源３０により目標信号が生成されて出力される。出力された目標信号は、到来信号となって到来し、アレーアンテナを構成している複数のセンサ素子２−１、２−２、・・・、２−Ｌにより受信される。このとき、ステップＳ１１の測角処理において、受信機３により、複数のセンサ素子２−１、２−２、・・・、２−Ｌで受信された到来信号から受信データを生成し、当該受信データを用いて、例えば、H. Krim、 M. Viberg、“Two decades of array signal processing research: the parametric approach”IEEE Signal Processing Magazine、 vol. 13、 no. 4、 pp. 67-94、 Jul 1996（以下、非特許文献５とする。）などに示される演算処理により概略の測角値（θハット）（０）を得る。測角値（θハット）（０）は、非特許文献３または非特許文献４に示される校正処理を施さない観測データと同様の観測誤差の影響を有する。この観測誤差に座標系を回転する成分が含まれることにより、測角値（θハット）（０）は前記座標系回転量に相当する一定の角度誤差を含む。次に、信号処理装置４の移動方向推定処理部１２は、この測角値（θハット）（０）を入射角度２１と仮定して、ステップＳ１２の移動方向推定処理により、移動プラットホーム１の移動方向ベクトル（ξハット）（１）を推定する。移動方向ベクトル（ξハット）（１）を推定する手段には、特開２００７−３３９５号公報や特開２００６−３４９５６８号公報などの文献に記載の方法がある。次に、信号処理装置４の校正用パラメータ推定処理部１３は、ステップＳ１３の校正用パラメータ推定処理において、例えば、非特許文献４に示す方式等を用いて、入射角度２１と仮定した測角値（θハット）（０）に基づいて、各センサ素子２−１、２−２、・・・、２−Ｌの受信チャネル特性差を表す校正用パラメータ（ｐハット）（１）を推定する。校正用パラメータ（ｐハット）（１）の具体例には、非特許文献３における行列Ｗまたは非特許文献４におけるベクトルｖなどが挙げられる。次に、信号処理装置４の改良校正測角処理部１４は、ステップＳ１４の改良校正測角処理において、推定した移動方向ベクトル（ξハット）（１）と校正用パラメータ（ｐハット）（１）とを用いて、ステップＳ１１で推定した概略の測角値（θハット）（０）を校正する測角処理を行い、測角値（θハット）（１）を得る。例えば、移動方向ベクトル（ξハット）（１）が示す移動方向から到来する信号の観測データ理論値により観測データを除算した校正観測データを得る。さらに前記校正観測データを校正用パラメータ（ｐハット）（１）で校正し、非特許文献５に示される演算により測角値（θハット）（１）を算出する。次に、信号処理装置４の改良校正測角処理部１４は、ステップＳ１５の収束判定処理において、ステップＳ１３で推定した校正用パラメータ（ｐハット）（１）とステップＳ１４で推定した測角値（θハット）（１）とが収束しているかを判定する。収束判定処理では、ｉ回目の反復計算において推定した移動方向ベクトル（ξハット）（ｉ）および校正用パラメータ（ｐハット）（ｉ）と、ｉ−１回目の反復計算において推定した移動方向ベクトル（ξハット）（ｉ−１）および校正用パラメータ（ｐハット）（ｉ−１）の差が所定閾値より小さい場合を収束状態と判定する。収束していれば処理を終え、収束していなければステップＳ１２の校正用パラメータ推定処理へ戻る。以降、図３の信号処理と同様に、処理が収束するまで反復計算を行う。
【００２１】
なお、図２のフローチャートにおいて、ステップＳ１２の移動方向推定処理とステップＳ１３の校正用パラメータ推定処理との処理の順序を入れ替えてもよいこととする。
【００２２】
また、図２におけるステップＳ１３の校正用パラメータ推定処理では、上述の非特許文献４に記載される校正用パラメータを推定する処理に限定されず、上述の非特許文献３に記載されるような校正用パラメータを推定する処理を採用することも可能である。
【００２３】
また、図２におけるステップＳ１４の改良校正測角処理では、移動プラットホーム１の移動方向ベクトル（ξハット）（１）と校正用パラメータ（ｐハット）（１）とを用いて全センサ素子２−１，２−２，・・・，２−Ｌの受信チャネル特性と入射角度の関係を再現し、測角処理を行うことができる。また、移動プラットホーム１の移動方向ベクトル（ξハット）（１）（及び、校正用パラメータ（ｐハット）（１））を用いて受信データにおける受信チャネル特性差の誤差を補償し、測角処理を行うことができる。とりわけ、受信データから受信チャネル特性の誤差を校正する方式は、到来する複数の信号が完全相関である場合に、上述したMUSIC法などによる測角処理を実施するために採用される。
【００２４】
また、図２におけるステップＳ１２の移動方向推定処理の一例として、信号発生源３０と移動プラットホーム１との間の相対速度を推定する機能をさらに有し、推定した入射角度と相対速度とを用いて移動プラットホーム１の移動方向を推定するようにしてもよい。相対速度は入射角度の関数で表現される。例えば、移動プラットホーム１と静止物体の相対速度に注目すると、相対速度は移動プラットホーム１の移動方向で最大となる物理特性を有する。この物理特性から、移動プラットホーム１の移動方向が推定可能である。
【００２５】
あるいは、図２におけるステップＳ１２の移動方向推定処理の別の一例として、信号発生源３０と移動プラットホーム１との間の相対距離を推定する機能をさらに有し、推定した入射角度と相対距離とを用いて移動プラットホーム１の移動方向を推定するようにしてもよい。信号発生源３０と移動プラットホーム１との相対位置を入射角度と相対距離とから推定し、観測時刻が異なる複数の観測データに亘って相対位置を追尾することにより、移動プラットホーム１の移動方向を推定する。例えば、直進中の移動プラットホーム１と静止物体との相対位置に注目すると、観測時刻の変化により相対位置の軌跡は直線を描く。この直線が移動プラットホーム１の移動方向に平行であることから、移動プラットホーム１の移動方向が推定可能である。
【００２６】
以上のように、本実施の形態１においては、移動プラットホーム１の移動方向を推定し、校正処理において、推定した移動プラットホーム１の移動方向を基準軸として座標系を補償する処理を付加するようにしたので、入射角度が未知の到来信号の受信データのみで各センサ素子間の受信チャネル特性差を校正することができる。また、当該校正を行う構成は、装置外部に入射角度を既知とする信号源を設けないため、低コストで実現することができる。
【図面の簡単な説明】
【００２７】
【図１】本発明の実施の形態１に係るアレー測角装置の構成を示す構成図である。
【図２】本発明の実施の形態１に係るアレー測角装置の処理の流れを示すフローチャートである。
【図３】従来の信号処理の流れを示すフローチャートである。
【符号の説明】
【００２８】
１  移動プラットホーム、２−１，２−２，２−３  センサ素子、３  受信機、４  信号処理装置、１２  移動方向推定処理部、１３  校正用パラメータ推定処理部、１４  改良校正測角処理部、Ｓ１，Ｓ１１  測角処理、Ｓ２，Ｓ１３  校正用パラメータ推定処理、Ｓ３  校正測角処理、Ｓ４，Ｓ１５  収束判定処理、Ｓ１４  改良校正測角処理。
【図１】
0004954112.tif 000002
【図２】
0004954112.tif 000003
【図３】
0004954112.tif 000004